(57)【要約】【課題】  結婚式や出産などの記録を常に見ることができ、しかも室内の装飾としても優れた記念表示額を提供する。【解決手段】  複数枚のタイル１の表面にそれぞれ記念事項２を印刷する。タイル１より薄い台シート３に複数の開口部４を設けると共に各開口部４にタイル１をその前面が台シート３の前面側に突出するように嵌め込む。そしてタイル１を嵌め込んだこの台シート３を前面側に透明板５を配置した状態で額縁６内に納めることによって記念表示額を形成する。結婚式や出産などの記念事項２を複数枚のタイル１にそれぞれ記録することができると共に、額縁６に納めた状態で壁に掛けたり家具の上に置いたりして飾ることができる。【選択図】  図１
0003106451.tif 000002
【実用新案登録請求の範囲】
【請求項１】
複数枚のタイルの表面にそれぞれ記念事項を印刷し、タイルより薄い台シートに複数の開口部を設けると共に各開口部にタイルをその前面が台シートの前面側に突出するように嵌め込み、タイルを嵌め込んだこの台シートを前面側に透明板を配置した状態で額縁内に納めて成ることを特徴とする記念表示額。
【請求項２】
台シートの開口部にタイルを取り替え自在に嵌め込んで成ることを特徴とする請求項１に記載の記念表示額。
【考案の詳細な説明】
【技術分野】
【０００１】
本考案は、結婚式や出産などの記念事項を記録すると共に掲示することができるようにした記念表示額に関するものである。
【背景技術】
【０００２】
結婚式や出産などの慶事の諸々の記録は、いつまでも残しておきたいという要望が高い。そこで、結婚式の記念写真や、誕生した子供の写真などの写真、さらに挙式の日や出産の日時、各種メッセージなど、諸々の記念事項を保存することができるようにしたアルバムが、従来から種々提案されている（例えば、特許文献１、特許文献２、特許文献３、特許文献４等参照）。
【特許文献１】実開平０６−０２１９５８号公報
【特許文献２】実用新案登録第３００２００８号公報
【特許文献３】実用新案登録第３０８２１００号公報
【特許文献４】実用新案登録第３０９０８９５号公報
【考案の開示】
【考案が解決しようとする課題】
【０００３】
上記のようにアルバムに結婚式や出産などの慶事の記録を保存する場合、アルバムは引き出しや本箱などに収納されるのが一般的であるので、記念事項を見たい時にはアルバムをいちいち取り出す必要があり、つい面倒になったりしていつのまにか殆ど見なくなるのが常である。特に結婚式や出産などの場合、その記録を見ると懐かしいというだけでなく、初心を思い出すよすがにもなるが、アルバムを見なくなると、このような効果も期待することができなくなる。
【０００４】
本考案は上記の点に鑑みてなされたものであり、結婚式や出産などの記録を常に見ることができ、しかも室内の装飾としても優れた記念表示額を提供することを目的とするものである。
【課題を解決するための手段】
【０００５】
本考案の請求項１に係る記念表示額は、複数枚のタイル１の表面にそれぞれ記念事項２を印刷し、タイル１より薄い台シート３に複数の開口部４を設けると共に各開口部４にタイル１をその前面が台シート３の前面側に突出するように嵌め込み、タイル１を嵌め込んだこの台シート３を前面側に透明板５を配置した状態で額縁６内に納めて成ることを特徴とするものである。
【０００６】
この考案に係る記念表示額によれば、結婚式や出産などの記念事項２を複数枚のタイル１にそれぞれ記録することができると共に、額縁６に納めた状態で壁に掛けたり家具の上に置いたりして飾ることができるものであり、結婚式や出産などの記録を常に見ることができるようにすることができものである。また、タイル１という素材を利用して記念事項２を装飾性高く印刷することができると共に、記念事項２を印刷したタイル１の表面を台シート３より前面側に浮き出させて表示することができ、室内の装飾の効果を高く得ることができるものである。
【０００７】
また請求項２の考案は、請求項１において、台シート３の開口部４にタイル１を取り替え自在に嵌め込んで成ることを特徴とするものである。
【０００８】
この考案によれば、タイル１の取り替えで、記念事項２の表示を変えることができるものであり、記念事項２の表示内容に飽きがきたりすることを未然に防ぐことができるものである。
【考案の効果】
【０００９】
本考案によれば、結婚式や出産などの記念事項を複数枚のタイル１にそれぞれ記録することができると共に、額縁６に納めた状態で壁に掛けたり家具の上に置いたりして飾ることができるものであり、結婚式や出産などの記録を常に見ることができるようにすることができるものである。また、タイル１という素材を利用して記念事項２を装飾性高く記録することができると共に、記念事項を記録したタイル１の表面を背景となる台シート３より前面側に浮き出させて表示することができ、室内の装飾の効果を高く得ることができるものである。
【考案を実施するための最良の形態】
【００１０】
以下、本考案を実施するための最良の形態を説明する。
【００１１】
タイル１としては正方形など任意の形状の陶板で形成したものを用いることができる。そしてこのタイル１の前面の表面に記念事項２を印刷する。記念事項２は、結婚式や出産などの慶事に関する事項が主であるが、勿論これらに制限されるものではなく、任意の記念事項を印刷することができる。例えば、結婚式の場合、式場内での写真、挙式の日時、誓いの言葉、お祝いのメッセージなどを記念事項２としてタイル１に印刷することができるものであり、また出産の場合、誕生直後の写真、誕生の年月日と時間、体重、命名した名前、両親のメッセージなどを記念事項２としてタイル１に印刷することができるものである。
【００１２】
タイル１の表面に記念事項２を印刷するにあたっては、図３に示すように、まずタイル１の表面に下地処理（プライマリー処理）をしてアンダーコート層１０を形成し、このアンダーコート層１０の上にダイレクトプリンターで写真や文字等を印刷することによって、記念事項２の印刷を行なうようにしてある。アンダーコート層１０によってタイル１に対する記念事項２の印刷層の密着性を高めることができるものである。さらにこの記念事項２の印刷層を乾燥させた後、この表面に透明オーバーコートを施して、耐摩耗性や耐候性に優れた透明被膜１１を形成し、記念事項２の印刷層が摩滅したり紫外線の作用で変色したりすることを防ぐようにしてある。またタイル１の印刷層に記念事項２を囲む飾り枠１６などの種々の縁取りを印刷したり、さらに、ぼかしや凹凸などを施すようにすることもできる。
【００１３】
図１は上記のように記念事項２を表面に印刷したタイル１を額縁６に納めて形成される、本考案に係る記念表示額の一例を示すものであり、タイル１を横に３枚並べて額縁６に納めることができるようにしてある。勿論、タイル１の枚数は３枚に限定されるものではなく、複数枚のタイル１を額縁６に納めることができるようにすればよい。
【００１４】
台シート３はタイル１の厚みより薄い厚みの厚紙などで、横長の矩形に形成されるものであり、台シート３には左右三箇所に開口部４が設けてある。開口部４はタイル１の外形と同形状で且つ同寸法に形成されるものである。この台シート３の各開口部４に記念事項２を印刷したタイル１の背部側を嵌め込むことによって、３枚のタイル１を台シート３に保持することができるものである。また額縁６は台シート３と同様に、横長の矩形の枠として形成してあり、額縁６の先部の内面に全周に亘って係合段部１２が突設してある。そして横長矩形のガラス板などで形成される透明板５を額縁６の内側に嵌め込んでその端縁部を係合段部１２に係合させ、透明板５の背面側において台シート３を額縁６内に納めると共に、台シート３の背面に発泡矩形板などで形成されるスペーサ板１３を重ね、さらにその背面側に裏板１４を重ねて額縁６内に嵌め込み、図３のように額縁６の背面の数箇所に設けたロック爪１５を回してロック爪１５で裏板１４の背面の端縁部を押えることによって、図２（ａ）（ｂ）に示すように、台シート３に保持した状態でタイル１を額縁６内に納めることができるものである。
【００１５】
このようにタイル１を納めた額縁６は、額縁６の背面に設けたリング金具１７に吊紐１８を通して取り付け、吊紐１８によって室内の壁面に壁掛けとして吊り下げたり、あるいは家具の上にスタンドとして置いたりして、室内に飾ることができるものである。図１の実施の形態では、タイル１に赤ちゃんの出産の記念事項２を印刷して額縁６に納めるようにしてあり、例えば３枚のタイル１のうち、中央のタイル１ａには誕生した赤ちゃんの写真２ａを記念事項２として印刷し、左のタイル１ｂには赤ちゃんの足型２ｂなどを記念事項２として印刷し、右のタイル１ｃには誕生日と名前２ｃを記念事項２として印刷してある。出産を最も良く象徴するのは誕生した赤ちゃんの写真であるが、写真２ａだけを記念事項２とするだけでは出産記念として満足できないことが多い。本考案では、写真２ａの他に、足型２ｂや名前２ｃなどの記念事項２を複数枚のタイル１に別けて記録することができるので、複数の記念事項２を組み合わせて表示することができることになり、出産記念としての満足度を高く得ることができるものである。
【００１６】
そして、出産や結婚式などの記念事項２を印刷したタイル１は額縁６に納めて壁掛けなどとして室内に飾られているので、アルバムの場合のように引き出しから取り出して見るというような必要がなく、常時見ることができるものである。またタイル１の前面は台シート３の前面よりも突出しているので、記念事項２を印刷したタイル１の表面は背景となる台シート３より前面側に浮き出させて立体的に表示することができるものであり、タイル１という素材を利用して記念事項２を装飾性高く印刷することができることと併せて、室内の装飾としての効果を高く得ることができるものである。
【００１７】
また、記念事項２を印刷したタイル１は台シート３の開口部４に取り外し自在に嵌め込むようにしてある。従って、額縁６内から台シート３を取り出して、台シート３の開口部４からタイル１を取り外し、他の記念事項２を印刷したタイル１を新たに台シート３の開口部４に嵌め込むことによって、タイル１を取り替えて額縁６に納めるようにすることができるものである。このように、額縁６に納めるタイル１を取り替えることによって、タイル１に印刷した記念事項２の内容を変えることができるものであり、長期間に亘って同じ記念事項２を表示すると飽きがきたりするおそれがあるが、このようなことを未然に防ぐことができるものである。
【図面の簡単な説明】
【００１８】
【図１】本考案の実施の形態の一例を示すものであり、（ａ）は正面図、（ｂ）は背面図である。
【図２】（ａ）は図１（ａ）のＡ−Ａ線断面図、（ｂ）は図１（ａ）のＢ−Ｂ線断面図である。
【図３】同上の記念事項を印刷したタイルの拡大した断面図である。
【符号の説明】
【００１９】
１  タイル
２  記念事項
３  台シート
４  開口部
５  透明板
６  額縁
【図２】
0003106451.tif 000003
【図３】
0003106451.tif 000004
【図１】
0003106451.tif 000005